(57)【要約】【課題】コンパクト容器の蓋体に趣向を凝らすこと。【解決手段】蓋体と容器本体とを有するコンパクト容器であって、前記蓋体は、基体と、前記基体の上に載置され、立体的な模様が印刷されるホログラム加飾シートと、前記ホログラム加飾シートを覆って前記基体に固定する透明又は半透明の天面カバーと、を有することを特徴とする。【選択図】　図１
2004065386.tif 000002
【特許請求の範囲】
【請求項１】
蓋体と容器本体とを有するコンパクト容器であって、
前記蓋体は、基体と、前記基体の上に載置され、立体的な模様が印刷されるホログラム加飾シートと、前記ホログラム加飾シートを覆って前記基体に固定する透明又は半透明の天面カバーと、を有することを特徴とするコンパクト容器。
【請求項２】
請求項１記載のコンパクト容器であって、
前記天面カバーの裏面又は表面に、凹凸模様を施すことを特徴とするコンパクト容器。
【請求項３】
請求項１又は請求項２記載のコンパクト容器であって、
前記天面カバーに、異なる樹脂やラメを練り込んで模様を形成することを特徴とするコンパクト容器。
【発明の詳細な説明】
【０００１】
【発明の属する技術分野】
本発明は、粉末化粧料等を収容するコンパクト容器に関し、特に該容器の蓋体に装飾を施したコンパクト容器に関する。
【０００２】
【従来の技術】
従来、蓋体と容器本体とをヒンジにより結合して構成され、化粧の際に使用するコンパクト容器がある。使用者が粉末化粧料を使用する際、コンパクト容器の蓋体を開け、容器本体に配置されたレフィル容器内の粉末化粧料を付属のパフ等の化粧具に付着させて使用する。
【０００３】
ここで、容器本体に配設されたレフィル容器を交換可能に構成すると、容器本体の粉末化粧料を使い尽くした場合、新たなレフィル容器を詰替えることにより、コンパクト容器を再度使用することができる。
【０００４】
【発明が解決しようとする課題】
しかしながら、前述のようにコンパクト容器を再使用ができるようになると、同じコンパクト容器を長期間使用することになるため、デザインに飽きがくるという問題が生ずる。特に蓋体は使用時に蓋体を開ける際に目に付くため、コンパクト容器の蓋体には十分趣向を凝らす必要がある。
【０００５】
そこで本発明の目的は、コンパクト容器の蓋体に趣向を凝らすことである。
【０００６】
【課題を解決するための手段】
上記目的を達成するための、本発明の代表的な構成は、蓋体と容器本体とを有するコンパクト容器であって、前記蓋体は、基体と、前記基体の上に載置され、立体的な模様が印刷されるホログラム加飾シートと、前記ホログラム加飾シートを覆って前記基体に固定する透明又は半透明の天面カバーと、を有することを特徴とする。
【０００７】
このような構成とすることで、前記天面カバーの厚みにより、前記ホログラム加飾シートの立体的な模様に奥行きを加えることが可能となる。
【０００８】
【発明の実施の形態】
（第１実施形態）
図を用いて本発明の第１実施形態について説明する。図１はコンパクト容器の断面図であり、図２は第１実施形態に係るコンパクト容器の蓋体の断面拡大図であり、図３は第１実施形態に係る蓋体の組立図である。
【０００９】
［コンパクト容器Ａの全体構成］
本発明の全体構成を説明する。図１に示すように、コンパクト容器Ａは、蓋体１と、パフ等の化粧具やレフィル容器を収納するための容器本体６とにより構成される。また、蓋体１は、蓋体１の外面を形成する天面カバー２と、印刷等の装飾がされたホログラム加飾シート３と、プラスチックや金属で形成された基体４と、蓋体１を開けた時に使用する鏡５とを有する。
【００１０】
蓋体１は、蓋体１側の基体４にあるヒンジ部４ｂと容器本体６側のヒンジ部６ｃとが軸７において結合しているため、容器本体６に対して開閉自在に構成される。また、蓋体１を閉じるときには、蓋体１側の基体４の係合突起４ａと容器本体６側の係合突起６ｂが係合し、蓋体１が容器本体６に対して確実に係止される。このため、蓋体１を容器本体６に対して閉じると、容器本体６の溝６ａに配置される不図示のパフ等の化粧具やレフィル容器を、コンパクト容器Ａ内に確実に収納することができる。
【００１１】
［蓋体１の詳細な構成］
次に蓋体１の詳細な構成について説明する。図２に示すように、基体４上に三次元ホログラムシートや印刷の施されたホログラム加飾シート３を載置し、ホログラム加飾シート３を挟み込むように透明又は色付き半透明のプラスチック製の天面カバー２が覆うことで、蓋体１は一体的に構成される。尚、三次元ホログラムシートとは、視覚的に立体感を現出させるような模様をシート平面上に施したシートのことをいう。また、蓋体１の基体４の裏面には鏡５が装着されており、蓋体１を開くと同時に鏡５が現れるようになっている。
【００１２】
図２に示すように、天面カバー２の裏面にはヘアーライン（細かいスジ状の模様）や水玉模様等の凹凸模様２ａが施してあるため、蓋体１を外部から見ると、裏面の凹凸模様２ａを透してホログラム加飾シート３が見える。このように構成することで、ホログラム加飾シート３の立体的な模様に凹凸模様２ａが重なり合って見え、また、裏面の凹凸模様２ａの凹凸により光が屈曲してホログラム加飾シート３の立体効果を更に変化させ、より多様な表現が可能となるため、より趣向を凝らした蓋体１ができる。また、前記天面カバーの厚みにより、前記ホログラム加飾シートの立体的な模様に奥行きを加えることができる。
【００１３】
図３に示すように、蓋体１は、表から天面カバー２、ホログラム加飾シート３、基体４の順に重ね合わされる。天面カバー２の内面には全周に渡って係合爪２ｂが形成されているため、天面カバー２の係合爪２ｂが基体４の係合爪４ｃと係合することで、ホログラム加飾シート３は天面カバー２と基体４とで挟み込まれる。
【００１４】
（第２実施形態）
図を用いて本発明の第２実施形態について説明する。図４は第２実施形態に係るコンパクト容器の蓋体の断面拡大図である。本実施形態において、第１実施形態とは蓋体のみの構造が異なっており、ここでは第２実施形態の蓋体１１の説明のみをする。尚、第１実施形態と同様の構成については同符号を付し、説明を省略する。
【００１５】
［蓋体１１の詳細な構成］
蓋体１１の詳細な構成について説明する。図４に示すように、蓋体１１は、天面カバー１２と基体４との間にホログラム加飾シート３を挟んで一体的に構成される。図に示すように、天面カバー１２の表面には水玉模様等の凹凸模様１２ａを施してあるため、蓋体１１を外部から見ると、表面の凹凸模様１２ａを透してホログラム加飾シート３が見える。このように構成することで、ホログラム加飾シート３の立体的な模様に凹凸模様１２ａが重なり合って見え、また、表面の凹凸模様１２ａの凹凸により光が屈曲してホログラム加飾シート３の立体効果を更に変化させ、より多様な表現が可能となるため、更に様々な趣向を凝らしたコンパクト容器Ａの蓋体１１を提供することができる。
【００１６】
（他の実施形態）
前述した実施形態においては、ホログラム加飾シート３を覆う天面カバーの表又は裏に凹凸模様を施す例を示したが、これに限るものではなく、表裏両方に凹凸模様を施してもよい。また、前述したように、蓋体の天面カバーに凹凸模様を施すだけでなく、図５（ａ）に示すように、天面カバー２２表面に多色の印刷２２ａを施したり、図５（ｂ）に示すように、天面カバー３２自身にラメ等の微細粒子を混入したり、練込みをしたり、２種類の樹脂を混ぜてマーブル加工をしたりする等の特殊加工３２ａを施して、蓋体２１、３１としてもよい。このように構成することで、ホログラム加飾シート３と組み合わせると、更に多様な表現が可能となり、より趣向を凝らしたコンパクト容器Ａの蓋体を提供することができる。
【００１７】
また、前述した実施形態においては、天面カバーと基体とは互いに係合爪により係合する構成とし、押圧部材により天面カバーやホログラム加飾シートが交換できる構成としてもよい。
【００１８】
【発明の効果】
以上のように、本発明においては、前記蓋体は、基体と、前記基体の上に載置され、立体的な模様が印刷されるホログラム加飾シートと、前記ホログラム加飾シートを覆って前記基体に固定する透明又は半透明の天面カバーと、を有することを特徴とする。このため、前記天面カバーの厚みにより、前記ホログラム加飾シートの立体的な模様に奥行きを加えることが可能となる。こうして、コンパクト容器の前記蓋体に趣向を凝らすことができる。
【図面の簡単な説明】
【図１】コンパクト容器の断面図である。
【図２】第１実施形態に係るコンパクト容器の蓋体の断面拡大図である。
【図３】第１実施形態に係る蓋体の分解斜視図である。
【図４】第２実施形態に係るコンパクト容器の蓋体の断面拡大図である。
【図５】他の実施形態に係るコンパクト容器の蓋体の断面拡大図である。
【符号の説明】
Ａ　…コンパクト容器、１　…蓋体、
２　…天面カバー、２ａ　…凹凸模様、２ｂ　…係合爪、
３　…ホログラム加飾シート、４　…基体、
４ａ　…係合突起、４ｂ　…ヒンジ部、４ｃ　…係合爪、
５　…鏡、６　…容器本体、
６ａ　…溝、６ｂ　…係合突起、６ｃ　…ヒンジ部、７　…軸、
１１　…蓋体、１２　…天面カバー、１２ａ　…凹凸模様、
２１　…蓋体、２２　…天面カバー、２２ａ　…印刷、
３１　…蓋体、３２　…天面カバー、３２ａ　…特殊加工
【図１】
2004065386.tif 000003
【図２】
2004065386.tif 000004
【図３】
2004065386.tif 000005
【図４】
2004065386.tif 000006
【図５】
2004065386.tif 000007